(57)【要約】【課題】洗面器の排水口と床排水部とを連絡する排水トラップ装置の縦管ピッチを短くして、狭い配管スペースでも容易に設置できるようにする。【解決手段】排水トラップ装置Ｔはトラップ形成管１０・Ｖ字形連結管２０・排水導出管３０から成り、排水導出管３０は接続部Ｊ３において回転させ二次側管路部分３３を鉛直方向にも水平方向にもできる。排水導出管３０の一次側管路部分３１の管中心線Ｃ３の位置を、Ｖ字形連結管２０の二次側管路部分２３における折り曲げ部側管部２３ａの管中心線Ｃ２に対し、一次側管路部分２１の方へ接近させたので、縦管ピッチＰの寸法が短くなる。その結果、小回りが利くようになると共に、排水導出管３０を床排水部に合致させるためにトラップ形成管１０及びＶ字形連結管２０を回転させる角度を小さくできるから、狭い配管スペース内でも排水トラップ装置Ｔの設置作業を容易に行える。【選択図】      図１
2007191958.tif 000002
【特許請求の範囲】
【請求項１】
トラップを形成するための折り返し部を有するトラップ形成管の二次側管路部分に、４５度の折り曲げ部を有するＶ字形連結管の一次側管路部分が接続され、このＶ字形連結管の二次側管路部分に、１３５度の緩曲部を有する排水導出管の一次側管路部分が接続された排水トラップ装置であって、前記Ｖ字形連結管の二次側管路部分における折り曲げ部側管部に対し、当該二次側管路部分における接続側管部が、前記Ｖ字形連結管の一次側管路部分に接近する方向へ偏芯して設けられていることを特徴とする排水トラップ装置。
【発明の詳細な説明】
【技術分野】
【０００１】
洗面器・手洗器等の排水口と、床又は壁に設けられた排水部とを連絡する排水配管の途中には、通常、水封を形成するためのトラップが設けられる。本発明は、このトラップの構造に関し、詳しくは、同一の部材で床排水部にも壁排水部にも接続が可能であり、床排水部の位置に変動が有った場合でも、配管接続作業を容易且つ確実に行える排水トラップ装置の提供を目的とする。
【背景技術】
【０００２】
一般に、洗面器の排水口と床又は壁に設けられた排水部とを連絡する排水配管の途中には、水封を形成するためのトラップが設けられる。床排水の場合、排水部とトラップとの間の配管は鉛直方向となるので、二つのＵ字形管を組み合わせて成るＳ形トラップが使用される。壁排水の場合、排水部とトラップとの間の配管は水平方向となるので、Ｕ字形管に９０度のエルボ管を組み合わせて成るＰ形トラップが使用される。このように普通は、床排水用と壁排水用とで排水トラップ装置の構成部材が異なっており、それだけ用意すべき部材点数が多くなるという欠点があった。
【０００３】
そこで一種類の装置で床排水にも壁排水にも対応できるようにすることが考えられ、そのような排水トラップ装置が、例えば特許文献１などで提案されている。図３は、この種の排水トラップ装置ｔを例示するものであって、洗面化粧台Ｋ等に備えられる洗面器Ｓの排水口１に、接続器具２を介して排水案内管３が接続され、この排水案内管３に、トラップ４ａを形成するＵ字状パイプ４が接続される。そして、Ｕ字状パイプ４の二次側管路部分に、４５度に折り曲げたＶ字形の連結パイプ５を接続し、この連結パイプ５に、一次側管端部付近を１３５度に折曲した排水パイプ６を接続して成るものである。かかる排水トラップ装置ｔは、排水パイプ６を連結パイプ５に対し接続する際の姿勢を１８０度回転させることにより、二次側管路部分を鉛直方向にも水平方向にもできるので、同一の部材で床排水と壁排水との双方に対応することが可能である。
【特許文献１】昭和５６年実用新案出願公告第５１０９９号公報
【発明の開示】
【発明が解決しようとする課題】
【０００４】
前記従来の排水トラップ装置ｔは、上に述べた如く、床排水と壁排水の両方に適用できるようにするため、Ｕ字状パイプ４と排水パイプ６との間に折曲角度が４５度のＶ字形連結パイプ５を配設し、この連結パイプ５に接続する排水パイプ６には角度が１３５度の折曲部分を形成するという構造を採用している。そのため、当該排水トラップ装置ｔを床排水部７に接続するときに、Ｕ字状パイプ４における二次側管路部分の鉛直方向の管中心線から、排水パイプ６における二次側管路部分の鉛直方向の管中心線までの距離Ｐ（以下、「縦管ピッチＰ」と言う）が、従前の二つのＵ字形管を接続して成るＳ形トラップの縦管ピッチより大きくならざるを得なかった。縦管ピッチＰが大きいと次のような問題が生じる。
【０００５】
前記排水トラップ装置ｔで洗面器排水口１と床排水部７とを連絡するにあたり、施工状況により床排水部７の位置が変わることがあるが、このような場合、図３（Ｂ）に示すように、排水案内管３に対しＵ字状パイプ４を接続部において回転させると共に、Ｕ字状パイプ４に対し連結パイプ５を接続部において回転させることにより、排水パイプ６を床排水部７と接続できる位置へ移動させる。ところで洗面化粧台Ｋにおいて、洗面器Ｓの下方空間に仕切り板Ｍを設け、仕切り板Ｍの前方を車椅子等に座った使用者の脚や膝を収納できるニースペースＮとし、仕切り板Ｍの後方側を配管スペースＬとすることがある。この配管スペースＬは奥行き寸法が非常に狭くなることが多い。従って、前記排水トラップ装置ｔにより洗面器排水口１と床排水部７とを接続するに際し、排水パイプ６を床排水部７の位置へ移動させるため連結パイプ５をＵ字状パイプ４に対し回転させようとしても、上述した如くＵ字状パイプ４と排水パイプ６との縦管ピッチＰが大きいと、連結パイプ５の回転半径が大きいために、上記のような狭い配管スペースＬ内では、連結パイプ５の回転作業が困難になる可能性があった。
【課題を解決するための手段】
【０００６】
本発明が前記問題を解決するために採用した排水トラップ装置の特徴とするところは、トラップを形成するための折り返し部を有するトラップ形成管の二次側管路部分に、４５度の折り曲げ部を有するＶ字形連結管の一次側管路部分が接続され、このＶ字形連結管の二次側管路部分に、１３５度の緩曲部を有する排水導出管の一次側管路部分が接続された排水トラップ装置であって、前記Ｖ字形連結管の二次側管路部分における折り曲げ部側管部に対し、当該二次側管路部分における接続側管部が、前記Ｖ字形連結管の一次側管路部分に接近する方向へ偏芯して設けられていることである。なお上記において、４５度及び１３５度の数値は設計上求められる理想値であり、実施に際しては、製作上の誤差を含むことが許容される。
【発明の効果】
【０００７】
前記構成に基づく本発明に係る排水トラップ装置は、床排水に適用したときに、Ｖ字形連結管に接続した排水導出管の二次側管路部分が、Ｖ字形連結管の一次側管路部分に接近する。つまり、Ｖ字形連結管が接続されるトラップ形成管の二次側管路部分と、排水導出管の二次側管路部分との距離が縮まるから、縦管ピッチを短くできる。すなわち、床排水にも壁排水にも対応可能でありながら、縦管ピッチについては、２個のＵ字形管を組み合わせた従来のＳ形トラップと同等の短さである製品を提供できる。縦管ピッチが短くなった結果、Ｖ字形連結管をトラップ形成管に対し回転させるときの回転半径が短くなり、いわゆる小回りの利く状態となるから、狭い配管スペース内でも、排水導出管を床排水部の位置に合致させる作業が容易になる。しかも本発明の排水トラップ装置は、Ｖ字形連結管についてのみ改良を施せばよく、トラップ形成管及び排水導出管については従来のものをそのまま利用できるので、実施のためのコストを低く抑えられる。
【発明を実施するための最良の形態】
【０００８】
図１に、本発明に係る排水トラップ装置Ｔの一例を示す。この排水トラップ装置Ｔは、
一次側管路部分１１と二次側管路部分１３との間に１８０度に湾曲させた折り返し部１２を有するほぼＵ字状のトラップ形成管１０と、一次側管路部分２１と二次側管路部分２３との間に折曲角度α＝４５度の折り曲げ部２２を有するＶ字形連結管２０と、一次側管端部ａの近くに折曲角度β＝１３５度の緩曲部３２を有し全体がほぼへ字状を成す排水導出管３０とから構成される。なおα，βの値は、排水トラップ装置に、施工上及び機能上の問題（例えば、壁排水時に逆勾配となる問題）を生じさせない範囲の誤差を許容するものである。
【０００９】
トラップ形成管１０は、一次側管路部分１１に比べて二次側管路部分１３の管路長が短く設定され、折り返し部１２の下端位置には、パッキン１５を介し蓋部材１６が着脱可能に装着された水抜き孔１４が設けられている。一次側管端の開口部１０ａには、洗面器等の排水口と連絡する排水案内管３がナット８及びパッキン９によって接続されている。二次側管端の開口部１０ｂには、Ｖ字形連結管２０の一次側管路部分２１が挿入され、ナット８及びパッキン９によって接続されている。トラップ形成管１０は排水案内管３と接続するに際し、接続部Ｊ１において軸周りに回転角度を変更可能であり、Ｖ字形連結管２０はトラップ形成管１０に接続するに際し、接続部Ｊ２において軸周りに回転角度を変更可能である。なおトラップ形成管１０における折り返し部１２の形状は、図示するような半円形のほか、Ｖ字形なども可能であり、下向きに凸の形状であればよい。
【００１０】
Ｖ字形連結管２０の二次側管路部分２３における接続側管部２３ｂは、排水導出管３０の一次側管路部分３１を挿入可能に設けられ、排水導出管３０がナット８及びパッキン９によって接続される。排水導出管３０は、Ｖ字形連結管２０に接続するに際し、接続部Ｊ３において軸周りに回転角度を調節可能である。従って、床排水に適用する場合には二次側管路部分３３が鉛直方向となるように調節し、壁排水に適用する場合には、接続部Ｊ３で１８０度回転させることにより、二次側管路部分３３を水平方向に位置させることができる。
【００１１】
前記排水トラップ装置Ｔは、床排水に適用するに際し、管どうしの接続部Ｊ１，Ｊ２において軸周りの回転角度を調節することにより、排水導出管３０を床排水部（図３参照）の位置に合致させることができる。図２（Ａ）に示す如く、トラップ形成管１０・Ｖ字形連結管２０・排水導出管３０がほぼ一直線上に並んだ状態のとき、トラップ形成管１０の一次側管路部分１１から排水導出管３０の二次側管路部分３３までの平面視した距離（以下、水平距離と言う）が最長Ｗ１である。トラップ形成管１０の一次側管路部分１１から床排水部までの水平距離がこれより短いときは、同図（Ｂ）に示す如く、トラップ形成管１０の一次側管路部分１１と排水案内管（図３参照）との接続部Ｊ１において、トラップ形成管１０を軸周りに適宜回転させる。同時に、Ｖ字形連結管２０の一次側管路部分２１とトラップ形成管１０の二次側管路部分１３との接続部Ｊ２において、Ｖ字形連結管２０を軸周りに適宜回転させる。これにより、トラップ形成管１０の一次側管路部分１１から排水導出管３０の二次側管路部分３３までの水平距離Ｗ２を、Ｗ１より短くすることができる。従って、２箇所の接続部Ｊ１，Ｊ２において、トラップ形成管１０及びＶ字形連結管２０それぞれの回転角度θ１，θ２を適宜設定することにより、水平距離がＷ１以内であれば、床排水部がどの位置にあっても、排水導出管３０を確実に合致する位置へ移動させることが可能である。
【００１２】
本発明の排水トラップ装置Ｔは、Ｖ字形連結管２０の二次側管路部分２３において、排水導出管３０の一次側管路部分３１が挿入される接続側管部２３ｂを、折り曲げ部側管部２３ａに対し、Ｖ字形連結管２０の一次側管路部分２１に接近する方向へ偏芯（通常は平行移動）させたところを特色としている。これにより、排水導出管３０における一次側管路部分３１の管中心線Ｃ３の位置が、Ｖ字形連結管２０の二次側管路部分２３における折り曲げ部側管部２３ａの管中心線Ｃ２より、Ｖ字形連結管２０の一次側管路部分２１の方へ接近することになる。Ｖ字形連結管２０と排水導出管３０との偏芯量、つまり二つの管中心線Ｃ２，Ｃ３の距離は要求流量と管径とで決定され、本例の場合１〜１３ｍｍの範囲で設定可能であり、好ましくは、流量を確保するため、排水導出管３０の肉厚と同程度（約２ｍｍ）に設定する。かかる設定の結果、Ｖ字形連結管２０における一次側管路部分２１の管中心線Ｃ１（トラップ形成管１０における二次側管路部分１３の管中心線に同じ）から、排水導出管３０における二次側管路部分３３の管中心線Ｃ４までの距離、すなわち縦管ピッチＰの寸法が短くなる。
【００１３】
縦管ピッチＰが短いと、トラップ形成管１０及びＶ字形連結管２０を接続部Ｊ１，Ｊ２で回転させて、排水導出管３０を床排水部に合致させる作業が容易となる。図２（Ｂ）に示すように、排水トラップ装置Ｔにおけるトラップ形成管１０の一次側管路部分１１から排水導出管３０の二次側管路部分３３までの水平距離を縮めてＷ２とする場合に、縦管ピッチＰが大きいときは、トラップ形成管１０の回転角度θ１及びＶ字形連結管２０の回転角度θ２を共に大きくしなくてはならない。すると、排水トラップ装置Ｔの奥行き寸法Ｄも必然的に大きくならざるを得ない。これは、狭い配管スペースで排水トラップ装置Ｔの設置作業を行う場合に不利である。しかるに本発明によれば、縦管ピッチＰが短いので、Ｖ字形連結管２０の小回りが利くようになると共に、水平距離を縮めるためにトラップ形成管１０及びＶ字形連結管２０を回転させる回転角度θ１，θ２を小さくできるから、排水トラップ装置Ｔの奥行き寸法Ｄがあまり大きくならない。よって、狭い配管スペース内でも排水トラップ装置Ｔの設置作業を容易に行える。
【図面の簡単な説明】
【００１４】
【図１】本発明に係る排水トラップ装置の一実施形態を示す正面断面図である。
【図２】本発明に係る排水トラップ装置の一実施形態を示すものであって、図（Ａ）は水平距離が最長の状態の平面図、図（Ｂ）はトラップ形成管及びＶ字形連結管を接続部で回転させて水平距離を縮めた状態の平面図である。
【図３】従来の排水トラップ装置に関するものであって、図（Ａ）は洗面器の排水口と床排水部とを連絡している状態を示す正面図、図（Ｂ）はその平面図であり、いずれも洗面化粧台については仮想線で示してある。
【符号の説明】
【００１５】
Ｋ…洗面化粧台  Ｌ…配管スペース  Ｍ…仕切り板  Ｎ…ニースペース  Ｓ…洗面器  Ｔ…排水トラップ装置  １０…トラップ形成管  １０ａ…トラップ形成管の一次側開口部  １０ｂ…トラップ形成管の二次側開口部  １１…トラップ形成管の一次側管路部分  １２…トラップ形成管の折り返し部  １３…トラップ形成管の二次側管路部分  ２０…Ｖ字形連結管  ２１…Ｖ字形連結管の一次側管路部分  ２２…Ｖ字形連結管の折り曲げ部  ２３…Ｖ字形連結管の二次側管路部分  ２３ａ…Ｖ字形連結管の二次側管路部分における折り曲げ部側管部  ２３ｂ…Ｖ字形連結管の二次側管路部分における接続側管部  ３０…排水導出管  ３１…排水導出管の一次側管路部分  ３２…排水導出管の緩曲部  ３３…排水導出管の二次側管路部分  Ｃ１，Ｃ２，Ｃ３．Ｃ４…管中心線    Ｊ１，Ｊ２，Ｊ３…接続部  Ｐ…縦管ピッチ
【図１】
2007191958.tif 000003
【図２】
2007191958.tif 000004
【図３】
2007191958.tif 000005